(57)【要約】【課題】本発明は、観光スポット／観光物説明システム及びそのイヤホンを提供する。【解決手段】本発明に係るイヤホンは、記憶モジュールと、読み書きモジュールと、通信モジュールと、を備え、記憶モジュールは、観光客のＩＤ情報を記憶し、読み書きモジュールは、電子ラベルに記憶された観光スポット／観光物のＩＤ情報を読み取り、且つ観光客のＩＤ情報を読み書き装置に出力し、通信モジュールは、観光スポット／観光物のＩＤ情報を携帯式電子装置に送信し、観光スポット／観光物のＩＤ情報に基づいて対応する説明情報を選択して、再生又は表示するよう携帯式電子装置を制御する。【選択図】図１
2016126741.tif 000002
【特許請求の範囲】
【請求項１】
サーバと、
複数の電子ラベルと、
イヤホンと、
複数の読み書き装置と、
を備えてなる観光スポット／観光物説明システムであって、
前記サーバには、観光客の携帯式電子装置によってダウンロードできる観光地の複数の観光スポット／観光物の説明情報が記憶され、電子ラベルは、前記観光スポット／観光物に装着され、対応する観光スポット／観光物のＩＤ情報を記憶し、
前記イヤホンは、前記携帯式電子装置に通信でき、記憶モジュールと、読み書きモジュールと、通信モジュールと、を備え、前記記憶モジュールは、観光客のＩＤ情報を記憶し、前記読み書きモジュールは、前記観光スポット／観光物のＩＤ情報を読み取り、前記通信モジュールは、前記観光スポット／観光物のＩＤ情報を前記携帯式電子装置に送信し、前記観光スポット／観光物のＩＤ情報に基づいて対応する説明情報を選択し、且つ再生又は表示するよう前記携帯式電子装置を制御し、
前記読み書き装置は、観光地の複数の場所に設置され、且つ前記サーバに接続され、前記各読み書き装置は、検知可能な範囲内の前記イヤホン内に記憶されている前記観光客のＩＤ情報を取得して、前記サーバに送信し、前記サーバ内には、前記読み書き装置の位置情報が記憶されているので、前記サーバは、前記読み書き装置の位置情報に基づいて、受信した観光客のＩＤ情報と対応する観光客の所在位置を確定できることを特徴とする観光スポット／観光物説明システム。
【請求項２】
前記観光スポット／観光物に付けられる複数のＱＲコードラベルを更に備え、前記ＱＲコードラベルのＱＲコード情報は、前記観光スポット／観光物にそれぞれ対応し、前記サーバは、前記携帯式電子装置から送信された前記ＱＲコード情報を受信し、前記観光スポット／観光物を観光している観光客の分布状況を統計することを特徴とする請求項１に記載の観光スポット／観光物説明システム。
【請求項３】
前記イヤホンは、Ｂｌｕｅｔｏｏｔｈ（登録商標）イヤホンであり、その通信モジュールは、Ｂｌｕｅｔｏｏｔｈ通信プロトコルを通じで前記携帯式電子装置とデータ及びオーディオを送受信し、前記イヤホンは、電力供給モジュール及び通話モジュールを更に備え、前記電力供給モジュールは、前記イヤホン内の各電子モジュールに電力を供給し、前記通話モジュールは、前記通信モジュールを介して前記携帯式電子装置とオーディオの転送を実現することを特徴とする請求項１又は２に記載の観光スポット／観光物説明システム。
【請求項４】
前記イヤホンは、有線イヤホンであって、第一転換モジュールを備え、前記イヤホンの通信モジュールは、前記有線イヤホンの接続部であって、前記接続部は携帯式電子装置に電気的に接続され、前記接続部は、第一チャンネルピン及び第二チャンネルピンを備え、前記読み書きモジュールは、前記第一転換モジュールを介して、前記第一チャンネルピンに電気的に接続され、前記第一チャンネルピンは、前記携帯式電子装置から出力されたアナログ信号を受信し、前記第一転換モジュールは、前記第一チャンネルピンから出力された前記アナログ信号をデジタル信号に転換し、且つ前記読み書きモジュールに送信することを特徴とする請求項１に記載の観光スポット／観光物説明システム。
【請求項５】
前記有線イヤホンは、第二転換モジュール及びマイクを更に備え、前記接続部は、マイクに電気的に接続されるマイクピンを更に備え、前記読み書きモジュールは、前記第二転換モジュールを介して前記マイクに電気的に接続され、前記読み書きモジュールはデジタル信号を前記第二転換モジュールに出力し、前記第二転換モジュールは、前記デジタル信号をアナログ信号に転換し、且つ前記マイクに出力し、前記マイクは、前記マイクピンを介して前記アナログ信号を前記携帯式電子装置に送信することを特徴とする請求項４に記載の観光スポット／観光物説明システム。
【請求項６】
前記イヤホンは、電源転換モジュールを更に備え、前記電源転換モジュールは、前記第二チャンネルピン、前記読み書きモジュール及び前記記憶モジュールに電気的に接続され、前記第二チャンネルピンから出力されたオーディオ信号を電流に転換し、且つ前記読み書きモジュール及び前記記憶モジュールに出力することを特徴とする請求項４又は５に記載の観光スポット／観光物説明システム。
【請求項７】
観光スポット／観光物説明システムに応用され、かつ、観光客の携帯式電子装置に通信できるイヤホンであって、
記憶モジュールと、
読み書きモジュールと、
通信モジュールと、を備え、
前記記憶モジュールは、観光客のＩＤ情報を記憶し、
前記読み書きモジュールは、電子ラベルに記憶された観光スポット／観光物のＩＤ情報を読み取り、且つ前記観光客のＩＤ情報を前記読み書き装置に出力し、
前記通信モジュールは、前記観光スポット／観光物のＩＤ情報を携帯式電子装置に送信し、前記観光スポット／観光物のＩＤ情報に基づいて対応する説明情報を選択し、且つ再生又は表示するよう携帯式電子装置を制御することを特徴とするイヤホン。
【請求項８】
Ｂｌｕｅｔｏｏｔｈイヤホンであり、電力供給モジュール及び通話モジュールを更に備え、その通信モジュールは、Ｂｌｕｅｔｏｏｔｈ通信プロトコルを通じて前記携帯式電子装置とデータ及びオーディオを送受信し、前記電力供給モジュールは、イヤホン内の各電子モジュールに電力を供給し、前記通話モジュールは、前記通信モジュールを介して前記携帯式電子装置とオーディオ転送を実現することを特徴とする請求項７に記載のイヤホン。
【請求項９】
有線イヤホンであって、第一転換モジュールと、第二転換モジュールと、マイクと、を備え、通信モジュールは、前記有線イヤホンの接続部であって、前記接続部は前記携帯式電子装置に電気的に接続され、前記接続部は、第一チャンネルピンと、第二チャンネルピンと、マイクピンと、を備え、前記読み書きモジュールは、前記第一転換モジュールを介して、前記第一チャンネルピンに電気的に接続され、前記第一チャンネルピンは、前記携帯式電子装置から出力されたアナログ信号を受信し、前記第一転換モジュールは、前記第一チャンネルピンから出力された前記アナログ信号をデジタル信号に転換し、且つ前記読み書きモジュールに送信し、
前記読み書きモジュールは、前記第二転換モジュールを介して前記マイクに電気的に接続され、前記読み書きモジュールはデジタル信号を前記第二転換モジュールに出力し、前記第二転換モジュールは、前記デジタル信号をアナログ信号に転換し、且つ前記マイクに出力し、前記マイクは、前記マイクピンを介して前記アナログ信号を携帯式電子装置に送信することを特徴とする請求項７に記載のイヤホン。
【請求項１０】
電源転換モジュールを更に備え、前記電源転換モジュールは、前記第二チャンネルピン、前記読み書きモジュール及び前記記憶モジュールに電気的に接続され、前記第二チャンネルピンから出力されたオーディオ信号を電流に転換し、且つ前記読み書きモジュール及び前記記憶モジュールに出力することを特徴とする請求項９に記載のイヤホン。
【発明の詳細な説明】
【技術分野】
【０００１】
本発明は、観光スポット／観光物説明システム及びそのイヤホンに関するものである。
【背景技術】
【０００２】
観光客は、観光地を訪れた時、ガイドの説明を聞きながら遺跡等を巡る場合がある。しかし、他の団体旅行者と居合わせた場合、各ガイドの説明が混ざり合うため、この際、観光客は説明がよく聞き取れない。
【発明の概要】
【発明が解決しようとする課題】
【０００３】
本発明の目的は、前記課題を解決し、観光スポット／観光物説明システム及びそのイヤホンを提供することである。
【課題を解決するための手段】
【０００４】
本発明に係る観光スポット／観光物説明システムは、サーバと、複数の電子ラベルと、イヤホンと、複数の読み書き装置と、を備え、サーバには、観光客の携帯式電子装置によってダウンロードできる観光地の複数の観光スポット／観光物の説明情報が記憶され、電子ラベルは、観光スポット／観光物に装着され、対応する観光スポット／観光物のＩＤ情報を記憶し、イヤホンは、携帯式電子装置に通信でき、記憶モジュールと、読み書きモジュールと、通信モジュールと、を備え、記憶モジュールは、観光客のＩＤ情報を記憶し、読み書きモジュールは、観光スポット／観光物のＩＤ情報を読み取り、通信モジュールは、観光スポットのＩＤ情報を携帯式電子装置に送信し、観光スポット／観光物のＩＤ情報に基づいて対応する説明情報を選択し、且つ再生又は表示するよう携帯式電子装置を制御し、読み書き装置は、観光地の複数の場所に設置され、且つサーバに接続され、各読み書き装置は、検知可能な範囲内のイヤホン内に記憶された観光客のＩＤ情報を取得して、且つサーバに送信し、サーバ内には、読み書き装置の位置情報が記憶されているので、サーバは、読み書き装置の位置情報に基づいて、受信した観光客のＩＤ情報と対応する観光客の所在位置を確定できる。
【０００５】
上記目的を達成するために、本発明に係るイヤホンは、記憶モジュールと、読み書きモジュールと、通信モジュールと、を備え、記憶モジュールは、観光客のＩＤ情報を記憶し、読み書きモジュールは、電子ラベルに記憶された観光スポット／観光物のＩＤ情報を読み取り、且つ観光客のＩＤ情報を読み書き装置に出力し、通信モジュールは、観光スポット／観光物のＩＤ情報を携帯式電子装置に送信し、観光スポット／観光物のＩＤ情報に基づいて対応する説明情報を選択し、且つ再生又は表示するよう携帯式電子装置を制御する。
【発明の効果】
【０００６】
本発明に係るイヤホンは、観光スポット／観光物のＩＤ情報を読み取り、且つ携帯式電子装置に送信すれば、観光スポット／観光物の説明情報を取得できるので、人工的な説明を必要としない。
【図面の簡単な説明】
【０００７】
【図１】図１は本発明の実施形態に係る観光スポット／観光物説明システムのブロック図である。
【図２】図２は図１に示す観光スポット／観光物説明システムの有線イヤホンの拡大図である。
【図３】図３は図２に示すイヤホンの機能ブロック図である。
【発明を実施するための形態】
【０００８】
図１に示したように、本発明の実施形態に係る観光スポット／観光物説明システム１００は、サーバ１０と、複数の電子ラベル２０と、少なくとも１つのイヤホン３０と、複数の読み書き装置４０と、を備える。サーバ１０内には、観光地の複数の観光スポット／観光物の説明情報が記憶されており、観光客は、携帯式電子装置２００によって、この観光スポット／観光物説明情報をダウンロードできる。また、サーバ１０は、観光地内の観光客の分布状況を統計できる。電子ラベル２０は、上述の複数の観光スポット／観光物に付けられており、各電子ラベル２０には、対応する観光スポット／観光物のＩＤ情報が記憶されている。各イヤホン３０は、固有のＩＤ認識コードを有し、且つ携帯式電子装置２００に通信できる。
【０００９】
イヤホン３０は、記憶モジュール３１と、読み書きモジュール３２と、通信モジュール３３と、を備える。記憶モジュール３１には、観光客のＩＤ情報が記憶されている。読み書きモジュール３２は、電子ラベル２０に記憶されている観光スポット／観光物のＩＤ情報を読み取ることができる。通信モジュール３３は、観光スポット／観光物のＩＤ情報を携帯式電子装置２００に送信し、観光スポット／観光物のＩＤ情報に基づいて、対応する説明情報を選択した後、再生又は表示するよう携帯式電子装置２００を制御する。観光スポット／観光物の説明情報は、音声、画像、図又は文字などによって表されてもよい。
【００１０】
複数の読み書き装置４０は、観光地の複数の場所に設置され、且つサーバ１０と通信できる。例えば、読み書き装置４０は、光ファイバネットワーク通信又はシリアル通信などの方式によってサーバ１０と通信する。各読み書き装置４０は、検知可能な範囲内に位置するイヤホン３０に記憶されている観光客ＩＤ情報を読み取り、且つ該観光客ＩＤ情報をサーバ１０に送信する。サーバ１０内には、各読み書き装置４０が装着されている具体的な位置情報が記憶されているので、サーバ１０は、各読み書き装置４０の所在位置に基づいて、受信した観光客ＩＤ情報と対応する観光客の所在位置を確定できる。
【００１１】
本実施形態において、電子ラベル２０、読み書き装置４０及び読み書きモジュール３２の通信方法は、２．４ＧＨｚ動作周波数に基づくＲＦＩＤ（Ｒａｄｉｏ  Ｆｒｅｑｕｅｎｃｙ  Ｉｄｅｎｔｉｆｉｃａｔｉｏｎ）技術である。電子ラベル２０は、２．４ＧＨｚのアクティブ電子ラベルであって、読み書き装置４０は、２．４ＧＨｚのアクティブ電子ラベルの読み書き装置であって、読み書きモジュール３２は、２．４ＧＨｚのアクティブ電子ラベルの読み書き装置である。
【００１２】
観光スポット／観光物説明システム１００は、観光スポット／観光物にそれぞれ設置されている複数のＱＲコードラベル５０を更に備える。各ＱＲコードラベル５０には、対応する観光スポット／観光物のＱＲコード情報が含まれている。具体的には、ＱＲコードラベル５０のＱＲコード情報は、ＱＲコードラベル５０が設置されている観光スポット／観光物の位置情報を備える。サーバ１０は、携帯式電子装置２００から送信されたＱＲコード情報を受信した後、該ＱＲコード情報に基づいて、各観光スポット／観光物の観光客の分布状況を統計して、観光客の分布状況を携帯式電子装置２００にフィードバックする。サーバ１０は、移動体通信ネットワーク又はＷｉ−Ｆｉ（登録商標）を介して、携帯式電子装置２００と通信する。
【００１３】
サーバ１０内には、携帯式電子装置２００によってダウンロードできる観光地の電子地図が記憶されている。
【００１４】
観光スポット／観光物説明システム１００を使用する場合、先ず、観光客は、観光地を訪れた際に固有の認識コードを有するイヤホン３０を借りて、自身の情報をイヤホン３０内に入力すると共に、イヤホン３０を自身の携帯式電子装置２００、例えば、携帯電話又はタブレットパソコンとマッチングさせる。これにより、イヤホン３０は、携帯式電子装置２００と通信可能になる。次いで、観光客は、携帯式電子装置２００によって、移動体通信ネットワーク又はＷｉ−Ｆｉ（登録商標）を介して、複数の観光スポット／観光物の説明情報をダウンロードする。具体的には、携帯式電子装置２００によって、複数の観光スポット／観光物の説明情報を有する応用プログラムをダウンロードする。１つの観光スポット／観光物まで到着すると、観光客は、イヤホン３０を介して、観光スポット／観光物上に設置されている電子ラベル２０と対応する観光スポット／観光物ＩＤ情報を読み取る。具体的には、イヤホン３０は、読み取った観光スポット／観光物ＩＤ情報を携帯式電子装置２００に送信する。この時、対応する応用プログラムは、該観光スポット／観光物ＩＤ情報と対応する観光スポット／観光物説明情報を調べ出し、観光スポット／観光物説明情報を再生又は表示するよう観光客に通知する。これにより、観光客はガイドを必要とせず、また、ガイドの説明が混ざり合って、よく聞きとれないという問題を防止できる。
【００１５】
イヤホン３０を携帯する観光客が、読み書き装置４０の検知可能な範囲内に入ると、読み書き装置４０は、イヤホン３０から観光客のＩＤ情報を読み取り、且つサーバ１０に送信する。サーバ１０には、各読み書き装置４０の位置情報が記憶されており、また、各イヤホン３０も固有の認識コードを有するので、サーバ１０は、観光客のＩＤ情報を送信する読み書き装置４０に基づいて、対応する観光客の所在位置を確定できる。これにより、観光客が迷子になるのを防止できる。
【００１６】
観光客は、観光スポット／観光物に設置されているＱＲコードを、携帯式電子装置２００によってスキャンした後、サーバ１０にアップロードすれば、サーバ１０から各観光スポット／観光物の観光客の分布状況を取得できる。故に観光客は、この分布状況に基づいて、観光ルートを変えて、人が少ない観光スポット／観光物へ移動することができる。これにより観光をよりよく楽しむことができる。
【００１７】
本実施形態において、イヤホン３０は、Ｂｌｕｅｔｏｏｔｈ（登録商標）イヤホンであり、その通信モジュール３３は、Ｂｌｕｅｔｏｏｔｈ通信プロトコルを通じて、携帯式電子装置２００とデータ及びオーディオを送受信する。イヤホン３０は、電力供給モジュール３４及び通話モジュール３５を更に備える。電力供給モジュール３４は、充電池又はアルカリ電池であって、イヤホン３０内の各電子モジュールに電力を供給する。通話モジュール３５は、通信モジュール３３を介して携帯式電子装置２００とのオーディオの転送を実現する。これにより、イヤホン３０は、一般のＢｌｕｅｔｏｏｔｈイヤホンと同じ通話機能を有する。
【００１８】
図２に示したのは、本発明の観光スポット／観光物説明システムにも使用可能な有線のイヤホン６０である。イヤホン６０は、一般の有線イヤホンと同じ外観を有する。イヤホン６０は、接続部６３と、マイク６４と、第一チャンネル転送線６５と、第二チャンネル転送線６６と、を備える。第一チャンネル転送線６５及び第二チャンネル転送線６６において、一方が左チャンネル転送線であれば、他方は右チャンネル転送線である。
【００１９】
図３に示したのは、イヤホン６０のブロック図である。イヤホン６０は、記憶モジュール６１と、読み書きモジュール６２と、電源転換モジュール６７と、第一転換モジュール６８と、第二転換モジュール６９と、を備える。記憶モジュール６１、読み書きモジュール６２、接続部６３はそれぞれ、Ｂｌｕｅｔｏｏｔｈのイヤホン３０の記憶モジュール３１、読み書きモジュール３２及び通信モジュール３３の各機能と同じである。接続部６３が、携帯式電子装置２００の接続ポートに接続されると、イヤホン６０は、携帯式電子装置２００と通信できる。
【００２０】
本実施形態において、接続部６３は、第一チャンネルピンＰ１と、第二チャンネルピンＰ２と、マイクピンＭＩＣと、接地ピンＧＮＤと、を備える。第一チャンネルピンＰ１、第二チャンネルピンＰ２、マイクピンＭＩＣは、第一チャンネル転送線６５、第二チャンネル転送線６６及びマイク６４にそれぞれ接続されている。第一チャンネルピンＰ１及び第二チャンネルピンＰ２において、一方が左チャンネルピンであれば、他方は右チャンネルピンである。
【００２１】
図４を併せて参照すると、読み書きモジュール６２は、第一転換モジュール６８を介して、第一チャンネルピンＰ１に電気的に接続されている。携帯式電子装置２００から読み書きモジュール６２に出力された情報は、アナログ信号の形式によって第一チャンネルピンＰ１に出力される。第一転換モジュール６８は、アナログ信号を、デジタル信号に転換した後、デジタル信号を読み書きモジュール６２に送信する。
【００２２】
読み書きモジュール６２は、第二転換モジュール６９を介して、マイク６４に電気的に接続されている。読み書きモジュール６２から携帯式電子装置２００に出力された情報は、デジタル信号の方式によって第二転換モジュール６９に出力される。第二転換モジュール６９は、デジタル信号をアナログ信号に転換した後、該アナログ信号をマイク６４に送信する。次いで、マイク６４は、マイクピンＭＩＣを介してアナログ信号を携帯式電子装置２００に送信する。
【００２３】
本実施形態において、サーバ１０内には、携帯式電子装置２００によってダウンロード可能な音声周波数発生ソフトが更に記憶されており、該ソフトは電力を供給できる。携帯式電子装置２００は、電力供給可能な音声周波数発生ソフトを介して、対応するオーディオ信号を第二チャンネルピンＰ２に送信する。電源転換モジュール６７は、第二チャンネルピンＰ２、読み書きモジュール６２及び記憶モジュール６１に電気的に接続され、第二チャンネルピンＰ２から出力されたオーディオ信号を電流に転換し、且つ読み書きモジュール６２及び記憶モジュール６１に送信して、読み書きモジュール６２及び記憶モジュール６１に電力を供給する。  
【符号の説明】
【００２４】
１０  サーバ
１００  観光スポット／観光物説明システム
２００  携帯式電子装置
２０  電子ラベル
３０  イヤホン
３１、６１  記憶モジュール
３２、６２  読み書きモジュール
３３  通信モジュール
３４  電力供給モジュール
３５  通話モジュール
４０  読み書き装置
５０  ＱＲコードラベル
６０  有線イヤホン
６３  接続部
６４  マイク
６５  第一チャンネル転送線
６６  第二チャンネル転送線
６７  電源転換モジュール
６８  第一転換モジュール
６９  第二転換モジュール
【図１】
2016126741.tif 000003
【図２】
2016126741.tif 000004
【図３】
2016126741.tif 000005